(57)【要約】      （修正有）【課題】従来からある水引帯を用いて、水引帯に対する余計な加工が不要でありながら、容易に着脱をすることができる水引を提供する。【解決手段】本考案の一実施形態に係る水引１は、複数の水引糸を帯状に整列させて構成する水引帯２を備えるものであって、弾性を有する材質からなる円管状部材たる留め具４を備え、留め具４は、定常状態における内径が、水引帯２の幅に比して小さく、かつ、略長円状に扁平させたときの長軸方向における内径が、水引帯２の幅以上の大きさになり、水引帯２は、一端部２ａと他端部２ｂを有し、水引帯２を輪状に湾曲させつつ、一端部２ａと他端部２ｂを水引帯２の厚み方向に積層し、かつ、一端部２ａと他端部２ｂの積層部２ｃに留め具４を外嵌して、水引帯２を輪状に保持する。【選択図】図１
0003193453.tif 000002
【実用新案登録請求の範囲】
【請求項１】
複数の水引糸を帯状に整列させて構成する水引帯を備える水引であって、
弾性を有する材質からなる円管状部材たる留め具を備え、
前記留め具は、
定常状態における内径が、前記水引帯の幅に比して小さく、かつ、略長円状に扁平させたときの長軸方向における内径が、前記水引帯の幅以上の大きさになり、
前記水引帯は、一端部と他端部を有し、
前記水引帯を輪状に湾曲させつつ、前記一端部と他端部を前記水引帯の厚み方向に積層し、かつ、前記一端部と他端部の積層部に前記留め具を外嵌して、前記水引帯を輪状に保持する、
ことを特徴とする水引。
【請求項２】
前記水引帯を所定の長さに切断した切片を、
前記一端部と他端部の積層部にさらに積層する、
ことを特徴とする請求項１に記載の水引。
【請求項３】
前記留め具を、
透明な弾性を有する材質により構成する、
ことを特徴とする請求項１または請求項２に記載の水引。
【考案の詳細な説明】
【技術分野】
【０００１】
本考案は、贈答品や祝儀袋等に付けられる紐飾りである水引に関し、より詳しくは、飾りと水引帯により構成される水引における水引帯の留め構造に関する。
【背景技術】
【０００２】
我が国においては、祝儀袋や贈答品等に水引を取付けることが一般的に行われている。
水引は、飾り部分（以下、飾りと呼ぶ）と該飾りを取付けるための帯状の部材（以下、水引帯と呼ぶ）により構成されるのが一般的であり、飾りと水引帯を一体化しておいて、水引帯を祝儀袋等の胴回りに巻回して取付けることが一般的である。
【０００３】
従来の水引における水引帯は、祝儀袋等の裏側にあたる箇所で、一端部と他端部に帯封を接着して留めることで輪状に構成され、また、水引帯の一端部と他端部は着脱不能である構成が一般的である。
また輪状に構成される水引帯の長さは、祝儀袋等の胴回りの周長に略一致する長さとされ、余裕を極力少なくすることで水引帯と祝儀袋等の隙間を小さくして、水引帯が祝儀袋等の表面に沿うように構成されるのが一般的である。そして従来の水引は、既に輪状に構成されている水引帯の輪の中に祝儀袋等を挿入することで装着される。
【０００４】
従来、水引帯の輪の大きさが一定であり、かつ、長さの余裕も少ないため、祝儀袋等に水引を取付ける作業には手間が掛かっており、また、祝儀袋等を受け取った人が、該祝儀袋を開封しようとするときにも、水引から祝儀袋等を徐々に抜くようにして外す必要があり、若干手間が掛かる構成となっていた。
【０００５】
また、水引を取付ける際には、祝儀袋等を湾曲させることで取付け作業がしやすくなるため、祝儀袋等を湾曲させることが多いが、祝儀袋にしわが寄って、見栄えが悪くなるといった問題もあった。さらに、箱状の贈答品等のように、湾曲させることができないものに水引を取付けるには、より手間が掛かっていた。
【０００６】
水引の取付けを容易にするための技術としては、例えば、以下の特許文献１に、開示されている技術が知られている。
特許文献１に示された水引では、水引帯に一端部と他端部を設け、一端部と他端部に楕円形の輪状部を形成し、一方の輪状部を他方の輪状部に挿通させることで、二つの輪状部同士を着脱自在に係止する構成としている。
そして、水引帯の一端部と他端部を着脱自在に構成することで、水引の取付け作業の容易化を実現している。
【先行技術文献】
【特許文献】
【０００７】
【特許文献１】登録実用新案第３１４５８７２号公報
【考案の概要】
【考案が解決しようとする課題】
【０００８】
しかしながら特許文献１に示された水引のように、水引帯の一端部と他端部に輪状部を形成する構成では、水引帯の加工に余計な手間がかかるという問題があった。
【０００９】
本考案は、斯かる現状の課題を鑑みてなされたものであり、従来からある水引帯を用いて、水引帯に対する余計な加工が不要でありながら、容易に着脱をすることができる水引を提供することを目的としている。
【課題を解決するための手段】
【００１０】
本考案の解決しようとする課題は以上の如くであり、次にこの課題を解決するための手段を説明する。
【００１１】
即ち、請求項１においては、複数の水引糸を帯状に整列させて構成する水引帯を備える水引であって、弾性を有する材質からなる円管状部材たる留め具を備え、前記留め具は、定常状態における内径が、前記水引帯の幅に比して小さく、かつ、略長円状に扁平させたときの長軸方向における内径が、前記水引帯の幅以上の大きさになり、前記水引帯は、一端部と他端部を有し、前記水引帯を輪状に湾曲させつつ、前記一端部と他端部を前記水引帯の厚み方向に積層し、かつ、前記一端部と他端部の積層部に前記留め具を外嵌して、前記水引帯を輪状に保持するものである。
【００１２】
請求項２においては、前記水引帯を所定の長さに切断した切片を、前記一端部と他端部の積層部にさらに積層するものである。
【００１３】
請求項３においては、前記留め具を、透明な弾性を有する材質により構成するものである。
【考案の効果】
【００１４】
本考案の効果として、以下に示すような効果を奏する。
【００１５】
請求項１においては、水引帯に余計な加工を施すことなく、水引の容易な着脱を実現することができる。
【００１６】
請求項２においては、水引の取付け強度を、容易に増強することができる。
【００１７】
請求項３においては、従来に比して違和感のない水引の見栄えを実現することができる。
【図面の簡単な説明】
【００１８】
【図１】本考案の一実施形態に係る水引を示す模式図、（ａ）平面模式図、（ｂ）水引の取付け状態を示す側面模式図。
【図２】本考案の一実施形態に係る水引の構成部材を示す模式図、（ａ）水引帯を示す部分斜視模式図、（ｂ）留め具を示す斜視模式図。
【図３】留め具の扁平状態および水引帯の保持状態を示す模式図。
【図４】贈答品に対する水引の取付け状況を示す模式図。
【図５】水引帯の積層部に対する留め具の外嵌状況を示す模式図、（ａ）正面模式図、（ｂ）図５（ａ）におけるＰ−Ｐ断面模式図。
【図６】切片を追加する場合における水引帯の積層部に対する留め具の外嵌状況を示す模式図、（ａ）正面模式図、（ｂ）図６（ａ）におけるＱ−Ｑ断面模式図。
【考案を実施するための形態】
【００１９】
次に、考案の実施の形態を説明する。
まず始めに、本考案の一実施形態に係る水引について、図１〜図３を用いて説明をする。
図１（ａ）に示す如く、本考案の一実施形態に係る水引１は、和紙等の紙を細く短冊状に切ったものをこよりにし、糊等で塗り固めて糸状にした水引糸を主に用いて作製されるものであって、水引帯２、飾り３、留め具４、等を備えている。
【００２０】
水引帯２は、図２（ａ）に示すように、複数（本実施形態では、５本）の水引糸を帯状に整列させるとともに、これらを糊等で塗り固めて作製される部材であり、所定の幅Ｗに構成されたものを所望する長さに切って使用され、図１（ａ）に示すように、一端部２ａと他端部２ｂを備えている。
尚、本実施形態で示す水引帯２は例示であり、本考案に係る水引を構成する水引帯の態様をこれに限定するものではなく、例えば、７本の水引糸を帯状に整列させて作製されるものであってもよく、種々の態様のものを採用しうる。
【００２１】
飾り３は、図１（ａ）に示すように、水引帯２（あるいは水引糸）を用いて結び目等を形作った部材である。
尚、本実施形態で示す飾り３は例示であり、本考案に係る水引を構成する飾りの態様をこれに限定するものではなく、例えば、鶴等の動物を形作ったもの等も採用しうる。
【００２２】
留め具４は、弾性を有する材質からなる円管（チューブ）状の部材であり、図２（ａ）（ｂ）に示すように、定常状態における内径Ｄ１が、水引帯２の幅Ｗに比して小さくなっている。
尚、ここで言う「定常状態」とは、留め具４に対して外力を加えたり、変形させたりしていない状態を意味する。
【００２３】
また留め具４は、図３に示すように、扁平させていくと、やがてその変形後の形状における長軸方向の内径Ｄ２が、水引帯２の幅Ｗ以上の大きさになる。尚、内径Ｄ２が水引帯２の幅Ｗ以上の大きさになっているとき、短軸方向の内径Ｄ３は、内径部４ａに挿入される水引帯２の積層厚み以上の大きさが確保されるように構成している。
【００２４】
そして、留め具４は弾性を有する材質からなり、変形および伸縮することが可能であるため、留め具４が変形および伸張することで、留め具４の内径部４ａに、水引帯２を挿入することができるように構成している。
尚、本実施形態では、５本の水引糸からなる水引帯２の幅Ｗが７ｍｍ程度であり、該水引帯２に適した留め具４として、内径Ｄ１が４ｍｍの、透明でかつ弾性を有するシリコンゴム製チューブを、約２ｃｍの長さで切断したものを使用している。
【００２５】
そして、本考案の一実施形態に係る水引１は、図１（ｂ）に示すように湾曲され、さらに、一端部２ａと他端部２ｂを水引帯２の厚み方向に積層することで輪状に構成され、その形成した輪の中に贈答品や祝儀袋等を挿入すること、即ち、贈答品や祝儀袋等の周囲に水引帯２を巻回することで、贈答品や祝儀袋等に対して付設される。
水引帯２の長さは、該水引帯２を巻回する対象（贈答品や祝儀袋等）の巻回部における周長と、該水引帯２を留め付けるのに必要な長さと、を考慮して決められる。
【００２６】
次に、本考案の一実施形態に係る水引１の留め構造について、図３〜図５を用いて、さらに詳細に説明をする。
【００２７】
図３に示すように、留め具４に水引帯２を挿入することで、留め具４は、水引帯２の幅方向に押し広げられて扁平し、このとき留め具４の内径部４ａが水引帯２の表面やコーナー部等に押し付けられる。
【００２８】
留め具４の材質は、摩擦係数が、水引帯２の表面の摩擦係数に比して大きい材質を選択しており、留め具４を水引帯２に押圧することで、水引帯２の留め具４に対する相対変位（ズレ）が起こりにくいように構成している。
留め具４の内径部４ａによる水引帯２に対する押圧力をより大きくすることで、留め具４の内径部４ａに挿入した水引帯２を、該内径部４ａから引き抜くのに要する力を、より大きくすることができる。
【００２９】
また、留め具４の内径部４ａに挿入された水引帯２（一端部２ａおよび他端部２ｂ）には、内径部４ａが押し付けられることで、水引帯２・２同士が密着しあう方向への力も作用しており、このような力の作用によっても、積層部２ｃにおける一端部２ａと他端部２ｂがズレにくくなっている。
【００３０】
図４（ａ）（ｂ）に示す如く、水引１では、一端部２ａと他端部２ｂの積層部２ｃに留め具４を外嵌することで、積層部２ｃにおける一端部２ａと他端部２ｂの積層状態を保持して、水引帯２を輪状の形状に保持する構成としている。
尚、ここで言う「輪状」とは、部材の一端部と他端部を繋いで無端とした形状全般を指すものであり、輪の形状の差異（円形、楕円形、略矩形等の差異）は問わない。
【００３１】
そして水引１は、内径部４ａに挿入した水引帯２を該内径部４ａから引き抜くのに要する力が、水引帯２を贈答品や祝儀袋の周りに巻回したときに該水引帯２に生じる張力に比して大きくなるように構成している。
これにより、贈答品や祝儀袋等に巻回した水引帯２の輪の大きさが保持され、水引１が、緩むことなく贈答品や祝儀袋等に対して付設される。
【００３２】
また、図５（ａ）（ｂ）に示すように、一端部２ａと他端部２ｂの積層部２ｃに、さらに切片５を積層した状態で留め具４を外嵌することで、水引帯２を内径部４ａから引き抜くのに要する力をより大きくすることができ、積層部２ｃにおける一端部２ａと他端部２ｂの積層状態をより確実に保持することが可能になる。
切片５は、水引帯２を積層部２ｃに対応する所定の長さに切断したものである。
【００３３】
また、水引帯２を内径部４ａから引き抜くのに要する力は、人が水引帯２を引っ張ることで付与できる力に比して十分に小さいので、水引１は、水引帯２を引っ張るだけで、容易に贈答品や祝儀袋等から取り外すことができる。
【００３４】
尚、水引帯２を内径部４ａから引き抜くのに要する力は、水引帯２の仕様（幅Ｗ、摩擦係数等）や対象物の大きさ等に応じて、留め具４の仕様（内径Ｄ１・Ｄ２、材質、チューブ長さ等）を変更することで設定することができる。
【００３５】
即ち、本考案の一実施形態に係る水引１は、水引帯２を所定の長さに切断した切片５を、一端部２ａと他端部２ｂの積層部２ｃにさらに積層するものであり、このような構成により、水引１の取付け強度を、容易に増強することができる。
【００３６】
また、水引１で使用している留め具４は、透明であるため、留め具４を通して、その内部に存在する水引帯２を視認することができる。
このため、外観上の留め具４の印象が弱く、水引帯２の印象が強く残るため、従来の水引に比した場合の違和感が、ほとんど生じないという特徴も有している。
【００３７】
即ち、本考案の一実施形態に係る水引１は、留め具４を、透明な弾性を有する材質により構成するものであり、このような構成により、従来に比して違和感のない水引１の見栄えを実現することができる。
尚、本実施形態では、透明の留め具４を採用した場合を例示したが、留め具４に対して着色等を施して、積極的に意匠上のアクセントとなるように活用することももちろん可能である。
【００３８】
尚、本実施形態では、水引帯２の留め具４として、シリコンゴム製チューブを使用する場合を例示しているが、留め具４としては、両面テープを採用してもよい。この場合、水引帯２の端部同士を重ね合わせるとともに、その端部同士を両面テープで留めることによって、より簡易な方法で水引帯２を留めつけることができる。
【００３９】
次に、本考案の一実施形態に係る水引１の取付け手順について、図６を用いて説明をする。
ここでは、図６に示すように、本考案の一実施形態に係る水引１を、箱状の形態を有する贈答品１０に取付ける場合を例示して説明をする。尚、図６に示す贈答品１０には、予め熨斗１１が付設されている。
尚、この取付け手順は、贈答品１０を裏返しの姿勢にして、贈答品１０の裏面が上方に向いている状態で行うのが好適である。
【００４０】
水引１を取付けるときには、まず水引１を、飾り３が贈答品１０の表面における熨斗１１の中央に位置するように配置しておく。
そしてこの状態で、水引帯２を贈答品１０の表面側から裏面側に向けて巻回していく。
尚、水引帯２の長さは、一端部２ａと他端部２ｂが贈答品１０の裏面における略中央において、留め具４の長さ以上の所定の長さで重なる長さとなっている。
【００４１】
次に、水引帯２の一端部２ａと他端部２ｂが、贈答品１０の裏面における略中央に位置している状態で、一端部２ａか他端部２ｂのいずれか一方に、留め具４を外嵌させて配置する。
尚、本実施形態では、一端部２ａに留め具４を外嵌させておくようにしている。
内径部４ａに対する一端部２ａの挿入態様は、留め具４を予め押圧等して扁平させておいて、内径部４ａの内径Ｄ２が水引帯２の幅Ｗ以上の大きさになっている状態で一端部２ａを挿入する態様であってもよいし、留め具４に一端部２ａを押し込み、その結果として留め具４が扁平し、内径部４ａの内径Ｄ２が水引帯２の幅Ｗ以上の大きさになる態様のいずれであってもよい。
【００４２】
次に、一端部２ａに外嵌している留め具４の内径部４ａに、他端部２ｂを挿入し、水引帯２を輪状に構成するとともに、留め具４を、水引帯２の積層部２ｃに外嵌させる。
このとき、留め具４および積層部２ｃは、贈答品１０の裏面における略中央に位置している。
尚、内径部４ａに対する他端部２ｂの挿入態様は、留め具４を予めさらに扁平させておいて、内径部４ａの内径Ｄ２が水引帯２の幅Ｗよりも大きくなっている状態で他端部２ｂを挿入する態様であってもよいし、留め具４に他端部２ｂを押し込み、その結果として留め具４がさらに扁平し、内径部４ａの内径Ｄ２が水引帯２の幅Ｗよりも大きくなる態様のいずれであってもよい。
【００４３】
そして、例えば、図６中に示すＡ部の水引帯２を贈答品１０に向けて押圧しながら、他端部２ｂを図６中に示す矢印Ｂの方向にさらに引っ張ることで、水引帯２を贈答品１０の周囲に密着させる。
このようにして、水引１を贈答品１０に対して容易に付設することができる。
【００４４】
このように、水引１を用いれば、例えば、湾曲させることができない箱状の贈答品１０に対しても、容易に水引１を付設することができる。またここでは例示しないが、水引１を用いれば、祝儀袋（不祝儀袋）に対しても、祝儀袋等にしわを寄らせずに、容易に水引１を付設することができるのは言うまでもない。
【００４５】
さらに、水引１を用いれば、贈答品１０や祝儀袋の中身を確認しようとするときに、水引帯２を引っ張るだけで容易に水引１を取り外すことが可能になり、贈答品１０を贈る側と贈られる側の両者における利便性を向上させることができる。
【００４６】
即ち、本考案の一実施形態に係る水引１は、複数の水引糸を帯状に整列させて構成する水引帯２を備えるものであって、弾性を有する材質からなる円管状部材たる留め具４を備え、留め具４は、定常状態における内径Ｄ１が、水引帯２の幅Ｗに比して小さく（Ｄ１＜Ｗ）、かつ、略長円状に扁平させたときの長軸方向における内径Ｄ２が、水引帯２の幅Ｗ以上の大きさになり（Ｄ２≧Ｗ）、水引帯２は、一端部２ａと他端部２ｂを有し、水引帯２を輪状に湾曲させつつ、一端部２ａと他端部２ｂを水引帯２の厚み方向に積層し、かつ、一端部２ａと他端部２ｂの積層部２ｃに留め具４を外嵌して、水引帯２を輪状に保持するものであり、このような構成により、水引帯２に余計な加工を施すことなく、水引１の容易な着脱を実現している。
【符号の説明】
【００４７】
１    水引
２    水引帯
２ａ  一端部
２ｂ  他端部
４    留め具
５    切片
【図１】
0003193453.tif 000003
【図２】
0003193453.tif 000004
【図３】
0003193453.tif 000005
【図４】
0003193453.tif 000006
【図５】
0003193453.tif 000007
【図６】
0003193453.tif 000008